(57)【特許請求の範囲】
【請求項１】
ａ）温風を発生する温風発生手段と、
ｂ）この温風発生手段の発生した温風が供給されるとともに、複数の温風接続口を備えた温風通路と、
ｃ）内部が中空に設けられるとともに、上端に開口部が設けられ、前記温風接続口に取り付けられ、前記温風通路から供給された温風を外部に吹き出す吹出口を備えた衣類用のハンガーと、
ｄ）該ハンガーを前記温風接続口に差し込んだ状態で前記温風通路に取り付けるフックと、
ｅ）前記温風通路に設けられ、前記ハンガーが前記温風接続口に挿入された状態でのみ、前記温風接続口を開口し、前記ハンガーが前記温風接続口に挿入されていない状態では、前記温風接続口を閉鎖する開閉手段とを備える衣類乾燥機。
【請求項２】
ａ）温風を発生する温風発生手段と、
ｂ）この温風発生手段の発生した温風が供給されるとともに、複数の温風接続口を備えた温風通路と、
ｃ）前記温風接続口に取り付けられ、前記温風通路から供給された温風を外部に吹き出す吹出口を備えた衣類用のハンガーと、
ｄ）前記温風通路に設けられ、前記ハンガーが前記温風接続口に取り付けられた状態でのみ、前記温風接続口を開口する開閉手段とを備え、
前記温風通路に取り付けられた前記ハンガーの数を検出する検出手段を備えるとともに、
この検出手段の検出した前記ハンガーの数に応じて前記温風発生手段の発生する温風発生量を制御する制御手段を備えることを特徴とする衣類乾燥機。
【発明の詳細な説明】
【０００１】
【発明の属する技術分野】
本発明は、温風によって衣類を乾かす衣類乾燥機の技術に関する。
【０００２】
【従来の技術】
衣類乾燥機の従来技術として、実開昭６１−１２６９９５号公報に開示された技術が知られている。この技術は、ブロワと熱源を備える循環路を設け、この循環路の温風接続口に中空のハンガーを取り付けたもので、ハンガーから吹き出される温風によって、ハンガーに掛けられた衣類を乾燥させるものである。
【０００３】
【発明が解決しようとする課題】
上記の従来技術では、複数のハンガーを循環路に取り付ける例が開示されているが、例えば、家庭で洗濯を行った場合など、全てのハンガーに必ずしも衣類が掛かるわけではなく、ハンガーの数よりも衣類の数が少ない場合がある。このような場合では、衣類の掛けられていないハンガーから温風が漏れ出るし、ハンガーを循環路から外しても温風接続口から温風が漏れ出る。このため、衣類の乾燥効率が劣化するとともに、無駄なエネルギーを消費する不具合が生じる。
【０００４】
【発明の目的】
本発明は、上記の事情に鑑みてなされたもので、その目的は、不要な温風が漏れ出るのを防いで、衣類の乾燥効率を向上させるとともに、無駄なエネルギーを消費しない衣類乾燥機の提供にある。
【０００５】
【課題を解決するための手段】
本発明の衣類乾燥機は、次の技術的手段を採用した。
〔請求項１の手段〕
衣類乾燥機は、
ａ）温風を発生する温風発生手段と、
ｂ）この温風発生手段の発生した温風が供給されるとともに、複数の温風接続口を備えた温風通路と、
ｃ）内部が中空に設けられるとともに、上端に開口部が設けられ、前記温風接続口に取り付けられ、前記温風通路から供給された温風を外部に吹き出す吹出口を備えた衣類用のハンガーと、
ｄ）該ハンガーを前記温風接続口に差し込んだ状態で前記温風通路に取り付けるフックと、
ｅ）前記温風通路に設けられ、前記ハンガーが前記温風接続口に挿入された状態でのみ、前記温風接続口を開口し、前記ハンガーが前記温風接続口に挿入されていない状態では、前記温風接続口を閉鎖する開閉手段とを備える。
【０００６】
〔請求項２の手段〕
衣類乾燥機は、
ａ）温風を発生する温風発生手段と、
ｂ）この温風発生手段の発生した温風が供給されるとともに、複数の温風接続口を備えた温風通路と、
ｃ）前記温風接続口に取り付けられ、前記温風通路から供給された温風を外部に吹き出す吹出口を備えた衣類用のハンガーと、
ｄ）前記温風通路に設けられ、前記ハンガーが前記温風接続口に取り付けられた状態でのみ、前記温風接続口を開口する開閉手段とを備え、
前記温風通路に取り付けられた前記ハンガーの数を検出する検出手段を備えるとともに、
この検出手段の検出した前記ハンガーの数に応じて前記温風発生手段の発生する温風発生量を制御する制御手段を備えることを特徴とする。
【０００７】
【発明の作用および効果】
〔請求項１の作用および効果〕
衣類乾燥機は、乾燥させる衣類の数に応じたハンガーを温風通路の温風接続口に取り付ける。ハンガーの取り付けられていない温風接続口は、開閉手段によって塞がれているため、温風発生手段から温風通路に供給された温風は、ハンガーの吹出口のみから吹き出され、ハンガーに掛けられた衣類を温風によって乾かす。
【０００８】
このように、温風発生手段の発生した温風は、衣類の掛かったハンガーのみから吹き出すことができ、従来のような温風の無駄な漏れをなくすことができ、従来に比較して衣類の乾燥効率を向上するとともに、エネルギー消費を抑えることができる。
【０００９】
〔請求項２の作用および効果〕
衣類乾燥機は、温風通路に取り付けられたハンガーの数を検出手段によって検出し、制御手段は検出したハンガーの数に応じて温風発生手段を制御して、ハンガーの数に応じた温風を発生させる。
つまり、衣類乾燥機は、衣類の量に応じた温風量（風量および熱量、あるいは温風の発生時間）が自動的に制御され、使い勝手に優れる。
【００１０】
【発明の実施の形態】
〔第１実施例〕
図１ないし図５は本発明を採用した第１実施例を示すもので、図１は衣類乾燥機の要部断面図、図２はハンガー本体の斜視図、図３はハンガー本体に取り付けられるハンガーの断面図、図４はハンガーの取り付けを示す説明図、図５はハンガーをハンガー本体に取り付けるフックの斜視図である。
【００１１】
衣類乾燥機は、温風発生手段１、温風通路２およびコントローラ３が設けられたハンガー本体４（図２参照）と、温風通路２に設けられた温風接続口５に取り付けられる１つまたは複数のハンガー６（図３参照）とから構成される。
【００１２】
ハンガー本体４は、２本の縦パイプ７と、ハンガー６を吊るす横パイプ８とを備えた所謂Ｈハンガータイプのもので、下部に取り付けられたキャリー９によって運搬が容易に設けられている。一方の縦パイプ７には、温風発生手段１とコントローラ３が設けられている。
【００１３】
温風発生手段１は、通電を受けると通電量に応じた空気流を生じさせる送風ブロワ（図示しない）と、通電を受けると通電量に応じた熱を生じさせる発熱体（図示しない）とを備えた所謂ドライヤーで、発生した温風は、縦パイプ７の一部を介して横パイプ８内に供給される。
【００１４】
横パイプ８は、温風通路２として利用されているもので、横パイプ８の下側には、複数の接続口５（この実施例では１０コの接続口５）が設けられている。この接続口５は、図３に示すように、ハンガー６の上端部が挿入されて接続されるもので、ハンガー６は後述するように中空になっており、そのハンガー６内に温風を吹き出すように設けられている。
【００１５】
横パイプ８の内部、つまり温風通路２には、図１に示すように、ハンガー６が温風接続口５に挿入された状態でのみ、温風接続口５を開口する開閉手段１０が設けられており、ハンガー６が温風接続口５に挿入されていない状態では、開閉手段１０が温風接続口５を閉鎖する。
【００１６】
コントローラ３は、上述の温風発生手段１の発生する温風発生量を制御する制御手段（図示しない）と、タイマー１１とを備える。
制御手段は、温風発生手段１の発生する温風の強弱を、取り付けられたハンガー６の数に応じて、１０段階に制御するもので、温風通路２に取り付けられたハンガー６の数を検出する検出手段（図示しない）を備える。なお、検出手段は、温風接続口５にハンガー６が差し込まれたことを検出するリミットスイッチやセンサによって構成される。
タイマー１１は、温風発生手段１の作動時間を設定するもので、使用者によって設定される。
【００１７】
ハンガー６は、温風接続口５に差し込まれ、フック１２によって横パイプ８に取り付けられる。なお、フック１２は、ハンガー６に対して回動自在に取り付けられたもので、ハンガー６が温風接続口５に差し込まれた状態で、横パイプ８に脱着されるものである。
ハンガー６は、内部が中空に設けられるとともに、上端に開口部１３が設けられて温風通路２の温風がハンガー６内に導かれるように設けられている。また、ハンガー６の下方には、内部に導かれた温風を外部に吹き出す吹出口１４が複数設けられている。
【００１８】
〔実施例の作動〕
衣類乾燥機の使用例を説明する。
ハンガー本体４の横パイプ８に、乾燥させる衣類の数に応じたハンガー６を取り付け、そのハンガー６に衣類を掛ける。スイッチをONすると、コントローラ３の制御手段がハンガー６の数に応じた強度の温風となるように温風発生手段１を作動させる。温風発生手段１が発生した温風は、横パイプ８内に供給される。ハンガー６の取り付けられていない温風接続口５は、開閉手段１０によって塞がれているため、横パイプ８内に供給された温風は、ハンガー６内のみに流れ、進入したハンガー６の吹出口１４から吹き出され、ハンガー６に掛けられた衣類を温風によって乾かす。スイッチのON後、コントローラ３に予め設定された時間が経過すると、コントローラ３のタイマー１１が温風発生手段１を自動停止し、衣類の乾燥作動が終了する。
【００１９】
〔実施例の効果〕
衣類乾燥機は、上述のように、衣類の掛かったハンガー６のみから温風を吹き出す。このため、従来のような温風の無駄な漏れをなくすことができ、従来に比較して衣類の乾燥効率を向上するとともに、衣類乾燥機の消費電力を抑えることができる。
また、衣類乾燥機は、ハンガー６の数を自動検出し、その数に応じた温風の強弱を自動設定するため、大変使いやすい。
勿論、衣類乾燥機を作動させていない時は、衣類を掛ける通常のＨハンガーとしても利用できる。
【００２０】
〔第２実施例〕
図６は第２実施例を示すハンガー本体の斜視図である。
上記の実施例では、ハンガー本体４をＨハンガータイプで設けた例を示したが、この第２実施例のハンガー本体４は、壁掛けタイプのもので、温風通路２を構成する横パイプ８が壁面に対して回動可能に設けられている。この壁掛けタイプのハンガー本体４を用いた衣類乾燥機は、雨で濡れた上着を乾かすのに適するとともに、寒い日に外套を温めるのにも使用できる。
【図面の簡単な説明】
【図１】衣類乾燥機の要部断面図である（第１実施例）。
【図２】ハンガー本体の斜視図である（第１実施例）。
【図３】ハンガーの断面図である（第１実施例）。
【図４】ハンガーの取り付けを示す説明図である（第１実施例）。
【図５】フックの斜視図である（第１実施例）。
【図６】ハンガー本体の斜視図である（第２実施例）。
【符号の説明】
１  温風発生手段
２  温風通路
５  温風接続口
６  ハンガー
１０  開閉手段
１４  吹出口
【図１】
0003748626.tif 000002
【図２】
0003748626.tif 000003
【図３】
0003748626.tif 000004
【図４】
0003748626.tif 000005
【図５】
0003748626.tif 000006
【図６】
0003748626.tif 000007